(57)【要約】【課題】  意図しない印刷が実行されるのを抑制することができる原稿読取装置を提供する。【解決手段】  ユーザ操作に基づいて、通常印刷モードと、通常印刷モードよりも印刷用紙の消費量が少ない印刷設定からなる節約印刷モードとのいずれかを印刷モードとして選択する印刷モード選択部と、原稿を収容するための原稿収容部と、原稿収容部内の原稿を読み取り、読取画像を生成する原稿読取部と、原稿収容部内の原稿を検出する原稿検出部と、原稿検出部の検出結果に基づいて、モード変更ボタンを含む確認画面を表示する確認画面表示部と、印刷モードに基づいて、読取画像から出力画像を形成する画像形成部により構成される。確認画面表示部は、印刷モードに基づいて、確認画面を表示するか否かを決定し、印刷モード選択部は、モード変更ボタンの操作に基づいて、通常印刷モードを選択する。【選択図】  図３
2011239137.tif 000002
【特許請求の範囲】
【請求項１】
ユーザ操作に基づいて、所定の印刷設定からなる通常印刷モードと、上記通常印刷モードよりも印刷用紙の消費量が少ない印刷設定からなる節約印刷モードとのいずれかを印刷モードとして選択する印刷モード選択部と、
２以上の原稿を収容するための原稿収容部と、
上記原稿収容部内の原稿を読み取り、読取画像を生成する原稿読取部と、
上記原稿収容部内の原稿を検出する原稿検出部と、
上記原稿検出部の検出結果に基づいて、モード変更ボタンを含む確認画面を表示する確認画面表示部と、
上記印刷モードに基づいて、上記読取画像から出力画像を形成する画像形成部とを備え、
上記確認画面表示部は、上記印刷モードに基づいて、上記確認画面を表示するか否かを決定し、
上記印刷モード選択部は、上記モード変更ボタンの操作に基づいて、上記通常印刷モードを選択することを特徴とする原稿読取装置。
【請求項２】
上記確認画面表示部は、上記印刷モードが上記通常印刷モードであれば、上記原稿検出部により原稿が検出されても上記確認画面を表示しないことを特徴とする請求項１に記載の原稿読取装置。
【請求項３】
メニュー画面内に設けられた項目を選択する項目選択操作に基づいて、印刷設定を変更するための印刷設定変更画面を表示する印刷設定変更画面表示部と、
上記印刷設定変更画面の表示履歴を保持する表示履歴記憶部とを備え、
上記確認画面表示部は、上記原稿検出部により原稿が検出された際に、原稿の検出時点までの上記表示履歴に基づいて、上記確認画面を表示するか否かを決定することを特徴とする請求項２に記載の原稿読取装置。
【請求項４】
ユーザ操作に基づいて、所定の印刷設定からなる通常印刷モードと、上記通常印刷モードよりも印刷用紙の消費量が少ない印刷設定からなる節約印刷モードとのいずれかを印刷モードとして選択する印刷モード選択部と、
２以上の原稿を収容するための原稿収容部と、
上記原稿収容部内の原稿を読み取り、読取画像を生成する原稿読取部と、
上記原稿読取部に原稿読み取りを開始させるための第１の読取開始操作に基づいて、モード変更ボタンを含む確認画面を表示する確認画面表示部と、
上記印刷モードに基づいて、上記読取画像から出力画像を形成する画像形成部とを備え、
上記確認画面表示部は、上記印刷モードに基づいて、上記確認画面を表示するか否かを決定し、
上記原稿読取部は、上記印刷モードが上記通常印刷モードである場合に、第１の読取開始操作に基づいて原稿読み取りを開始し、上記節約印刷モードである場合に、上記確認画面の表示中における第２の読取開始操作に基づいて原稿読み取りを開始し、
上記印刷モード選択部は、上記モード変更ボタンの操作に基づいて、上記通常印刷モードを選択することを特徴とする原稿読取装置。
【請求項５】
上記確認画面表示部は、上記印刷モードが上記通常印刷モードであれば、第１の読取開始操作が行われても上記確認画面を表示しないことを特徴とする請求項４に記載の原稿読取装置。
【請求項６】
メニュー画面内に設けられた項目を選択する項目選択操作に基づいて、印刷設定を変更するための印刷設定変更画面を表示する印刷設定変更画面表示部と、
上記印刷設定変更画面の表示履歴を保持する表示履歴記憶部とを備え、
上記確認画面表示部は、第１の読取開始操作が行われた際に、第１の読取開始操作時点までの上記表示履歴に基づいて、上記確認画面を表示するか否かを決定することを特徴とする請求項５に記載の原稿読取装置。
【請求項７】
上記確認画面表示部は、上記印刷モードが上記節約印刷モードであることを示すメッセージを含む上記確認画面を表示することを特徴とする請求項１又は４に記載の原稿読取装置。
【発明の詳細な説明】
【技術分野】
【０００１】
本発明は、原稿読取装置に係り、さらに詳しくは、通常印刷モードと、通常印刷モードよりも印刷用紙の消費量が少ない印刷設定からなる節約印刷モードとのいずれかを印刷モードとして選択可能であり、印刷モードに基づいて読取画像から出力画像を形成する原稿読取装置の改良に関する。
【背景技術】
【０００２】
通常、複写機は、複数の原稿から読み取った読取画像を１枚の記録紙にまとめて印刷する集約印刷機能と、２ページ分の読取画像を１枚の記録紙の表裏にそれぞれ印刷する両面印刷機能を有し、これらの機能を選択的に実行させることができる。
【０００３】
集約印刷及び両面印刷は、複数ページ分の読取画像を１ページごとに記録紙を変えながら１枚の記録紙の片面に順次に印刷する通常印刷に比べ、印刷によって消費される記録紙を節約することができる。近年、記録紙節約の観点から、集約印刷、両面印刷などの印刷設定を自動選択して印刷を行う節約印刷モードを有するプリンタが提案されている（例えば、特許文献１及び２）。しかしながら、この様なプリンタでは、通常印刷したい場合に、ユーザが節約印刷モードであることに気付かず、また、気付いたとしても節約印刷モードを解除し忘れれば、意図するものとは異なる印刷が実行され、記録紙を無駄に消費してしまうという問題があった。
【先行技術文献】
【特許文献】
【０００４】
【特許文献１】特開２００４−２４６２８３号公報
【特許文献２】特開２００５−２４８８１号公報
【発明の概要】
【発明が解決しようとする課題】
【０００５】
本発明は、上記事情に鑑みてなされたものであり、意図しない印刷が実行されるのを抑制し、印刷用紙の消費量を節約することができる原稿読取装置を提供することを目的とする。特に、節約印刷モード中であることに気付かないまま、読取画像から出力画像が形成されるのを抑制することができる原稿読取装置を提供することを目的とする。また、節約印刷モード中であることに気付いた際に印刷設定を容易に変更することができる原稿読取装置を提供することを目的とする。
【課題を解決するための手段】
【０００６】
第１の本発明による原稿読取装置は、ユーザ操作に基づいて、所定の印刷設定からなる通常印刷モードと、上記通常印刷モードよりも印刷用紙の消費量が少ない印刷設定からなる節約印刷モードとのいずれかを印刷モードとして選択する印刷モード選択部と、２以上の原稿を収容するための原稿収容部と、上記原稿収容部内の原稿を読み取り、読取画像を生成する原稿読取部と、上記原稿収容部内の原稿を検出する原稿検出部と、上記原稿検出部の検出結果に基づいて、モード変更ボタンを含む確認画面を表示する確認画面表示部と、上記印刷モードに基づいて、上記読取画像から出力画像を形成する画像形成部とを備え、上記確認画面表示部が、上記印刷モードに基づいて、上記確認画面を表示するか否かを決定し、上記印刷モード選択部が、上記モード変更ボタンの操作に基づいて、上記通常印刷モードを選択するように構成される。
【０００７】
この原稿読取装置では、原稿収容部内の原稿の検出結果に基づいて、確認画面が表示される。この確認画面は、選択された印刷モードに基づいて表示するか否かが決定されるので、原稿を原稿収容部内に収容させた際に、節約印刷モード中であるか否かを確認画面の表示によって識別することができる。従って、節約印刷モード中であることに気付かないまま、読取画像から出力画像が形成されるのを抑制することができる。また、確認画面に含まれるモード変更ボタンの操作に基づいて、通常印刷モードを選択するので、節約印刷モード中であることに気付いた際に印刷モードを容易に変更することもできる。
【０００８】
第２の本発明による原稿読取装置は、上記構成に加え、上記確認画面表示部が、上記印刷モードが上記通常印刷モードであれば、上記原稿検出部により原稿が検出されても上記確認画面を表示しないように構成される。
【０００９】
第３の本発明による原稿読取装置は、上記構成に加え、メニュー画面内に設けられた項目を選択する項目選択操作に基づいて、印刷設定を変更するための印刷設定変更画面を表示する印刷設定変更画面表示部と、上記印刷設定変更画面の表示履歴を保持する表示履歴記憶部とを備え、上記確認画面表示部が、上記原稿検出部により原稿が検出された際に、原稿の検出時点までの上記表示履歴に基づいて、上記確認画面を表示するか否かを決定するように構成される。
【００１０】
この様な構成によれば、項目選択操作に基づいて表示される印刷設定変更画面の表示履歴に基づいて確認画面を表示するので、原稿の検出時点までの表示履歴に応じて、確認画面を表示するか否かを決定させることができる。
【００１１】
第４の本発明による原稿読取装置は、ユーザ操作に基づいて、所定の印刷設定からなる通常印刷モードと、上記通常印刷モードよりも印刷用紙の消費量が少ない印刷設定からなる節約印刷モードとのいずれかを印刷モードとして選択する印刷モード選択部と、２以上の原稿を収容するための原稿収容部と、上記原稿収容部内の原稿を読み取り、読取画像を生成する原稿読取部と、上記原稿読取部に原稿読み取りを開始させるための第１の読取開始操作に基づいて、モード変更ボタンを含む確認画面を表示する確認画面表示部と、上記印刷モードに基づいて、上記読取画像から出力画像を形成する画像形成部とを備え、上記確認画面表示部が、上記印刷モードに基づいて、上記確認画面を表示するか否かを決定し、上記原稿読取部が、上記印刷モードが上記通常印刷モードである場合に、第１の読取開始操作に基づいて原稿読み取りを開始し、上記節約印刷モードである場合に、上記確認画面の表示中における第２の読取開始操作に基づいて原稿読み取りを開始し、上記印刷モード選択部が、上記モード変更ボタンの操作に基づいて、上記通常印刷モードを選択するように構成される。
【００１２】
この原稿読取装置では、印刷モードが通常印刷モードであれば、第１の読取開始操作に基づいて原稿読み取りが開始され、節約印刷モードである場合には、確認画面の表示中における第２の読取開始操作に基づいて原稿読み取りが開始される。上記確認画面は、選択された印刷モードに基づいて表示するか否かが決定されるので、第１の読取開始操作を行った際に、節約印刷モード中であるか否かを確認画面の表示によって識別することができる。従って、節約印刷モード中であることに気付かないまま、読取画像から出力画像が形成されるのを抑制することができる。また、確認画面に含まれるモード変更ボタンの操作に基づいて、通常印刷モードを選択するので、節約印刷モード中であることに気付いた際に印刷モードを容易に変更することもできる。
【００１３】
第５の本発明による原稿読取装置は、上記構成に加え、上記確認画面表示部が、上記印刷モードが上記通常印刷モードであれば、第１の読取開始操作が行われても上記確認画面を表示しないように構成される。この様な構成によれば、通常印刷モード時に無駄な操作が生じるのを抑制することができる。
【００１４】
第６の本発明による原稿読取装置は、上記構成に加え、メニュー画面内に設けられた項目を選択する項目選択操作に基づいて、印刷設定を変更するための印刷設定変更画面を表示する印刷設定変更画面表示部と、上記印刷設定変更画面の表示履歴を保持する表示履歴記憶部とを備え、上記確認画面表示部が、第１の読取開始操作が行われた際に、第１の読取開始操作時点までの上記表示履歴に基づいて、上記確認画面を表示するか否かを決定するように構成される。
【００１５】
この様な構成によれば、項目選択操作に基づいて表示される印刷設定変更画面の表示履歴に基づいて確認画面を表示するので、第１の読取開始操作時点までの表示履歴に応じて、確認画面を表示するか否かを決定させることができる。
【００１６】
第７の本発明による原稿読取装置は、上記構成に加え、上記確認画面表示部が、上記印刷モードが上記節約印刷モードであることを示すメッセージを含む上記確認画面を表示するように構成される。この様な構成によれば、確認画面の表示によって、節約印刷モード中であることをユーザに気付かせることができる。
【発明の効果】
【００１７】
本発明による原稿読取装置によれば、原稿を原稿収容部内に収容させた際に、節約印刷モード中であるか否かを確認画面の表示によって識別することができる。また、第１の読取開始操作を行った際に、節約印刷モード中であるか否かを確認画面の表示によって識別することができる。従って、節約印刷モード中であることに気付かないまま、読取画像から出力画像が形成されるのを抑制することができ、意図しない印刷が実行されるのを抑制し、印刷用紙の消費量を節約することができる。また、確認画面に含まれるモード変更ボタンの操作に基づいて、通常印刷モードを選択するので、節約印刷モード中であることに気付いた際に印刷モードを容易に変更することができる。
【図面の簡単な説明】
【００１８】
【図１】本発明の実施の形態１による原稿読取装置の一構成例を示した図であり、原稿読取装置の一例としてＭＦＰ１００が示されている。
【図２】従来のＭＦＰにおける複写時の動作を模式的に示した説明図である。
【図３】図１のＭＦＰ１００における複写時の動作の一例を模式的に示した説明図であり、印刷モードに応じて印刷処理が実行される様子が示されている。
【図４】図１のＭＦＰ１００における複写時の動作の一例を示した図であり、印刷設定時におけるディスプレイ１４上の画面表示の様子が示されている。
【図５】図１のＭＦＰ１００における節約印刷モード時の複写処理の一例を示した図であり、メニュー画面２１の表示時に原稿がセットされた場合が示されている。
【図６】図１のＭＦＰ１００における節約印刷モード時のメール送信処理の一例を示した図である。
【図７】図１のＭＦＰ１００における節約印刷モード時のＦＡＸ送信処理の一例を示した図である。
【図８】図１のＭＦＰ１００の一構成例を示したブロック図であり、ＭＦＰ１００内の機能構成の一例が示されている。
【図９】図１のＭＦＰ１００における印刷時の動作の一例を示した図であり、確認画面２５が表示されるか否かの出現パターンが示されている。
【図１０】図８のＭＦＰ１００における通常印刷モード時の複写処理の一例を示したフローチャートである。
【図１１】図８のＭＦＰ１００における節約印刷モード時の複写処理の一例を示したフローチャートである。
【図１２】本発明の実施の形態２による原稿読取装置の一構成例を示したブロック図であり、ＭＦＰ１００の他の構成例が示されている。
【図１３】図１２のＭＦＰ１００における印刷時の動作の一例を示した図であり、確認画面２５が表示されるか否かの出現パターンが示されている。
【図１４】図１２のＭＦＰ１００における節約印刷モード時の複写処理の一例を示したフローチャートである。
【図１５】本発明の実施の形態３による原稿読取装置の一構成例を示したブロック図であり、ＭＦＰ１００の他の構成例が示されている。
【図１６】図１５のＭＦＰ１００における印刷時の動作の一例を示した図であり、確認画面２５が表示されるか否かの出現パターンが示されている。
【図１７】図１５のＭＦＰ１００における節約印刷モード時の複写処理の一例を示したフローチャートである。
【発明を実施するための形態】
【００１９】
実施の形態１．
＜ＭＦＰ＞
図１（ａ）及び（ｂ）は、本発明の実施の形態１による原稿読取装置の一構成例を示した図であり、原稿読取装置の一例としてＭＦＰ１００が示されている。図中の（ａ）には、ＭＦＰ１００の全体が示され、（ｂ）には、コントロールパネル１３が示されている。
【００２０】
ＭＦＰ（Multifunction Peripheral：複合機）１００は、スキャナ機能、プリンタ機能、ＦＡＸ（ファクシミリ）機能、複写機能、電子メールの送受信機能を有し、これらの機能を選択的に実行させることができる画像処理装置である。このＭＦＰ１００は、ＡＤＦ部１０、コントロールパネル１３、手差しトレイ１、記録紙収容部２，３及び記録紙用の排紙トレイ４を備え、原稿から読み取った読取画像を所定の印刷設定に基づいて記録紙に印刷することができる。記録紙は、読取画像を印刷するための印刷用紙である。
【００２１】
ＡＤＦ部１０は、ＡＤＦ（Automatic Document Feeder：自動原稿給送装置）及びプラテンカバーからなり、プラテンカバー上に原稿用の給紙トレイ１１及び排紙トレイ１２が設けられている。ＡＤＦ部１０では、給紙トレイ１１内に収容された原稿を１枚ずつ連続して読取部に搬送し、読み取り後の原稿を排紙トレイ１２内に排出する動作が行われる。
【００２２】
給紙トレイ１１は、複数の原稿を収容するための原稿収容部であり、読み取り前の原稿が収容される。一方、排紙トレイ１２は、読み取り後の原稿を収容するための収容部であり、給紙トレイ１１の下側に配置されている。
【００２３】
プラテンカバーは、透明ガラスからなる原稿載置台の上にセットされた原稿を押えるためのカバーである。手差しトレイ１、記録紙収容部２，３は、印刷前の記録紙を収容するための収容部であり、排紙トレイ４は、印刷後の記録紙を収容するための収容部である。
【００２４】
コントロールパネル１３には、ディスプレイ１４、スタートキー１５、ストップキー１６、数字キー１７、電源スイッチ１８、機能選択キー１９及び節約モード選択キー２０などが設けられている。
【００２５】
ディスプレイ１４は、メニュー画面などを表示するための表示手段であり、動作状態、処理内容などが表示面上に表示される。このディスプレイ１４の表示面には、表示面に対する操作を検出するタッチパネルが設けられており、操作位置を検出することにより、操作位置に応じた入力処理が行われる。スタートキー１５は、原稿送りなどの処理を開始させるための操作キーであり、ストップキー１６は、処理を中断させるための操作キーである。
【００２６】
機能選択キー１９は、実行対象とする機能を選択するための操作キーであり、この例では、コピーキー、スキャンキー、ＦＡＸ送信キー、プリントキーが機能選択キー１９として配置されている。節約モード選択キー２０は、通常印刷モード又は節約印刷モードのいずれかを印刷モードとして選択するための操作キーであり、例えば、押下するごとに印刷モードを変更することができる。
【００２７】
通常印刷モードが、所定の印刷設定からなる印刷モードであるのに対し、節約印刷モードは、通常印刷モードよりも記録紙の消費量が少ない印刷設定からなる印刷モードである。節約印刷としては、集約印刷、両面印刷、集約かつ両面印刷などがある。
【００２８】
複写機能が選択されている場合（コピーモード）における原稿読取には、ＡＤＦを用いて読み取るＡＤＦ読取と、原稿載置台を用いてＦＢＳ（フラットベッドスキャナ）読取がある。ＡＤＦ読取は、原稿を搬送しながら読み取りが行われるのに対し、ＦＢＳ読取は、読取装置を移動させることにより、原稿載置台上に載置された原稿が静止状態で読み取られる。
【００２９】
＜従来例との比較＞
図２は、従来のＭＦＰにおける複写時の動作を模式的に示した説明図であり、原稿から読み取った２ページ分の読取画像を１枚の記録紙にまとめて印刷する集約印刷の様子が示されている。原稿「１」、「２」、「３」、「４」、・・・を給紙トレイ内に収容させ、スタートキーを操作することにより、これらの原稿が順次に読み取られる。そして、読取画像が記録紙に印刷され、印刷後の記録紙が排紙トレイ内に排出される。
【００３０】
この例では、原稿「１」及び「２」からそれぞれ読み取った２ページ分の読取画像が第１の記録紙に印刷され、原稿「３」及び「４」からそれぞれ読み取った２ページ分の読取画像が第２の記録紙に印刷されている。
【００３１】
従来のＭＦＰでは、複数の原稿を給紙トレイ内に収容させてスタートキーを操作することにより、原稿の読み取りが開始され、集約印刷が実行される。このため、集約機能が選択されていることに気付かないまま、スタートキーを操作すれば、意図しない印刷が実行され、記録紙を無駄に消費してしまう場合があった。
【００３２】
図３は、図１のＭＦＰ１００における複写時の動作の一例を模式的に示した説明図であり、印刷モードに応じて印刷処理が実行される様子が示されている。印刷モードが通常印刷モードである場合、複数の原稿を給紙トレイ１１内に収容させてスタートキー１５を操作することにより、原稿の読み取りが開始され、通常印刷が実行される。
【００３３】
これに対し、印刷モードが節約印刷モードである場合には、給紙トレイ１１内に収容された原稿を検出し、ユーザに注意を喚起するための確認画面がディスプレイ１４上に表示される。そして、確認画面の表示中に、スタートキー１５を操作することにより、節約印刷が実行される。
【００３４】
つまり、通常印刷モード中であれば、原稿を収容させた後、スタートキー１５を押下することにより、原稿の読み取り及び記録紙への印刷処理が開始されるのに対し、節約印刷モード中であれば、原稿を収容させることによって、確認画面が表示される。そして、確認画面の表示中におけるスタートキー１５を押下することにより、原稿の読み取り及び記録紙への印刷処理が開始される。
【００３５】
確認画面は、選択された印刷モードに基づいて表示するか否かが決定されるので、原稿を給紙トレイ１１内に収容させた際に、節約印刷モード中であるか否かを確認画面の表示によって識別することができる。従って、節約印刷モード中であることに気付かないまま、読取画像が記録紙に印刷されるのを抑制することができる。
【００３６】
＜印刷設定＞
図４は、図１のＭＦＰ１００における複写時の動作の一例を示した図であり、印刷設定時におけるディスプレイ１４上の画面表示の様子が示されている。このＭＦＰ１００では、機能選択キー１９を操作して選択した機能に応じたメニュー画面が初期画面又は待機画面としてディスプレイ１４上に表示される。
【００３７】
複写機能が選択されている場合に表示されるメニュー画面２１には、応用機能ボタン３１、画質ボタン３２、濃度ボタン３３、用紙ボタン３４及び拡大縮小ボタン３５が設けられている。これらのボタン３１〜３５は、印刷設定に関するメニュー項目を選択するための項目選択ボタンである。
【００３８】
応用機能ボタン３１は、応用機能として予め定められた印刷設定を変更するための操作アイコンであり、この応用機能ボタン３１を操作することにより、サブメニュー画面２２が表示される。画質ボタン３２は、印刷時の画質を変更するための操作アイコンであり、濃度ボタン３３は、濃度を変更するための操作アイコンである。また、用紙ボタン３４は、印刷用紙のサイズ、印刷方向などの用紙設定を変更するための操作アイコンであり、拡大縮小ボタン３５は、印刷時の倍率を変更するための操作アイコンである。
【００３９】
ボタン３２〜３５には、現在の設定内容が文字列で表示されている。例えば、画質ボタン３２には、画質を読取画像に応じて自動的に決定する印刷設定が選択されていることを示す文字列「自動」が表示されている。
【００４０】
サブメニュー画面２２は、印刷設定を変更するための印刷設定変更画面であり、応用機能ボタン３１の操作に基づいて、ディスプレイ１４上に表示される。このサブメニュー画面２２には、閉じるボタン３６、複数の項目選択ボタン３７が設けられている。閉じるボタン３６は、印刷設定の変更処理を終了して元のメニュー画面２１に復帰させるための操作アイコンである。
【００４１】
項目選択ボタン３７は、複写時の印刷設定項目を選択するための操作アイコンであり、項目選択ボタン３７を操作することにより、印刷設定を変更することができる。選択可能な印刷設定項目としては、「集約」、「リピート」、「ページ分解」、「とじしろ」、「枠消去」、「センター消去」及び「両面」がある。
【００４２】
「リピート」は、１ページ分の読取画像を繰返し用いて複数の記録紙に印刷するリピート印刷に関する設定項目であり、「ページ分解」は、１ページ分の読取画像を複数ページに分割して記録紙にそれぞれ印刷するページ分解印刷に関する印刷設定である。また、「とじしろ」は、印刷時の綴じしろを変更するための設定項目であり、「枠消去」は、印刷時に外枠を消去するための設定項目である。また、「センター消去」は、印刷時に中央部分を消去するための設定項目である。
【００４３】
これらの項目選択ボタン３７には、現在の設定内容が文字列で表示されている。この例では、項目選択ボタン３７に割り当てられた印刷設定が非選択であることを示す文字列「ｏｆｆ」が各ボタン３７に表示されている。
【００４４】
集約設定画面２３は、集約印刷の印刷設定を変更するための印刷設定変更画面であり、サブメニュー画面２２内の「集約」ボタンを操作することにより、ディスプレイ１４上に表示される。この集約設定画面２３には、取消しボタン３８、確定ボタン３９、複数の項目選択ボタン４０が設けられている。
【００４５】
取消しボタン３８は、集約設定画面２３が表示されたときから取消しボタン３８が操作されるまでの間における印刷設定の変更情報を無効化して元のサブメニュー画面２２に復帰させるための操作アイコンである。確定ボタン３９は、印刷設定を確定して元のサブメニュー画面２２に復帰させるための操作アイコンである。
【００４６】
項目選択ボタン４０は、所定の印刷設定を選択するための操作アイコンである。集約設定画面２３内には、選択可能な印刷設定として、非選択「ｏｆｆ」、「２枚」、「４枚」及び「８枚」がある。項目選択ボタン４０を操作することにより、１枚の記録紙にまとめる原稿の枚数を変更することができる。
【００４７】
印刷設定「２枚」は、２ページ分の読取画像を１枚の記録紙の片面に印刷させる設定であり、「４枚」は、４ページ分の読取画像を記録紙の片面に印刷させる設定であり、「８枚」は、８ページ分の読取画像を記録紙の片面に印刷させる設定である。
【００４８】
両面設定画面２４は、両面印刷の印刷設定を変更するための印刷設定変更画面であり、サブメニュー画面２２内の「両面」ボタンを操作することにより、ディスプレイ１４上に表示される。この両面設定画面２４には、取消しボタン３８、確定ボタン３９、複数の項目選択ボタン４０が設けられている。
【００４９】
この取消しボタン３８は、両面設定画面２４が表示されたときから取消しボタン３８が操作されるまでの間における印刷設定の変更情報を無効化して元のサブメニュー画面２２に復帰させるための操作アイコンである。
【００５０】
両面設定画面２４内には、選択可能な印刷設定として、非選択「ｏｆｆ」、「片面から両面」、「両面から両面」及び「両面を片面」がある。項目選択ボタン４０を操作することにより、複写方法を変更することができる。
【００５１】
印刷設定「片面から両面」は、２枚の原稿の片面からそれぞれ読み取られた２ページ分の読取画像を１枚の記録紙の両面にそれぞれ印刷させる設定である。「両面から両面」は、１枚の原稿の両面から読み取られた２ページ分の読取画像を１枚の記録紙の両面にそれぞれ印刷させる設定である。「両面を片面」は、１枚の原稿の両面から読み取られた２ページ分の読取画像を２枚の記録紙の片面にそれぞれ印刷させる設定である。
【００５２】
サブメニュー画面２２内の項目選択ボタン３７には、現在の設定内容が表示されているので、サブメニュー画面２２を表示させることにより、節約印刷に関する印刷設定、例えば、集約印刷又は両面印刷の印刷設定が選択されているか否かを識別することができる。
【００５３】
＜節約モード時の複写処理＞
図５は、図１のＭＦＰ１００における節約モード時の複写処理の一例を示した図であり、メニュー画面２１の表示時に原稿がセットされた場合が示されている。節約印刷モードが選択されている場合、メニュー画面２１内には、節約印刷モード中であることを示すメッセージ４１が表示される。このメッセージ４１は、通常印刷モード時には表示されない。
【００５４】
節約印刷モード中に原稿が給紙トレイ１１内に収容されれば、給紙トレイ１１内の原稿を検出して確認画面２５がディスプレイ１４上に表示される。この確認画面２５は、節約印刷モード中であることをユーザに気付かせるための報知画面であり、原稿の検出結果に基づいて表示される。
【００５５】
確認画面２５には、項目選択ボタン４２、戻るボタン４３及び節約解除ボタン４４が設けられ、節約印刷モード中であることを示すメッセージが表示されている。戻るボタン４３は、確認画面２５の表示を終了して元のメニュー画面２１に復帰させるための操作アイコンである。節約解除ボタン４４は、節約印刷モードを解除して通常印刷モードに切り替えるためのモード変更ボタンであり、節約解除ボタン４４を操作することにより、節約印刷に関する印刷設定を解除することができる。
【００５６】
項目選択ボタン４２は、節約印刷に関する印刷設定を変更するための操作アイコンであり、項目選択ボタン４２を操作することにより、当該項目選択ボタンに割り当てられた印刷設定を変更することができる。節約印刷に関する設定項目としては、「両面」、「集約」及び「両面かつ集約」があり、いずれかを選択することができる。各項目選択ボタン４２には、現在の設定内容が文字列により表示されている。
【００５７】
この様な確認画面２５の表示中に、スタートキー１５を押下すれば、原稿の読み取り及び記録紙への印刷処理が開始される。一方、確認画面２５内の「集約」ボタンを操作すれば、集約設定画面２３が表示される。
【００５８】
この集約設定画面２３内の項目選択ボタン４０を操作することにより、集約設定を変更することができる。また、取消しボタン３８を操作することにより、集約設定画面２３が表示されてから取消しボタン３８が操作されるまでの間の印刷設定の変更情報を無効化して元の確認画面２５に復帰させることができる。また、確定ボタン３９を操作することにより、印刷設定を確定して元の確認画面２５に復帰させることができる。
【００５９】
確認画面２５内の「両面」ボタンを操作した場合には、両面設定画面２４が表示される。この両面設定画面２４内の項目選択ボタン４０を操作することにより、両面設定を変更することができる。また、取消しボタン３８を操作することにより、両面設定画面２４が表示されてから取消しボタン３８が操作されるまでの間の印刷設定の変更情報を無効化して元の確認画面２５に復帰させることができる。また、確定ボタン３９を操作することにより、印刷設定を確定して元の確認画面２５に復帰させることができる。
【００６０】
「両面かつ集約」ボタンを操作した場合には、まず、集約設定画面２３が表示され、集約設定の変更が可能な状態となる。そして、集約設定画面２３内の確定ボタン３９を操作することにより、両面設定画面２４が表示され、両面設定の変更が可能な状態となる。
【００６１】
確認画面２５内の節約解除ボタン４４を操作した場合には、節約印刷設定が解除され、メニュー画面２１に復帰する。つまり、この場合には、集約印刷及び両面印刷設定を非選択とすることにより、印刷モードが通常印刷モードに変更される。メニュー画面２１に復帰した後、スタートキー１５を押下すれば、原稿の読み取り及び記録紙への印刷処理が開始される。
【００６２】
確認画面２５内の戻るボタン４３を操作した場合には、元のメニュー画面２１に復帰する。そして、メニュー画面２１に復帰した後、スタートキー１５を押下すれば、原稿の読み取り及び記録紙への印刷処理が開始される。
【００６３】
＜節約モード時のメール送信処理＞
図６は、図１のＭＦＰ１００における節約モード時のメール送信処理の一例を示した図である。メール送信機能が選択されている場合には、メニュー画面５１がディスプレイ上１４に表示される。このメニュー画面５１には、応用機能ボタン６１、画質ボタン６２、濃度ボタン６３及び解像度ボタン６４が設けられ、また、電子メールの送信先を示すアドレス情報６５などが表示されている。ボタン６１〜６４は、電子メールの送信設定に関するメニュー項目を選択するための項目選択ボタンである。
【００６４】
節約印刷モード中に原稿が給紙トレイ１１内に収容されれば、給紙トレイ１１内の原稿を検出して確認画面５２がディスプレイ１４上に表示される。この確認画面５２には、項目選択ボタン６６、戻るボタン６７及び節約解除ボタン６８が設けられ、節約印刷モード中であることを示すメッセージが表示されている。
【００６５】
項目選択ボタン６６は、節約印刷に関する印刷設定を変更するための操作アイコンであり、項目選択ボタン６６を操作することにより、当該項目選択ボタンに割り当てられた印刷設定を変更することができる。節約印刷に関する設定項目としては、「集約」があり、項目選択ボタン６６には、現在の設定内容が文字列により表示されている。
【００６６】
確認画面５２の表示中に、スタートキー１５を押下すれば、原稿の読み取り及び読取画像を電子メールとして送信する処理が開始される。一方、確認画面５２内の「集約」ボタンを操作すれば、集約設定画面２３が表示される。
【００６７】
この集約設定画面２３内の項目選択ボタン４０を操作することにより、集約設定を変更することができる。また、取消しボタン３８を操作することにより、集約設定画面２３が表示されてから取消しボタン３８が操作されるまでの間の印刷設定の変更情報を無効化して元の確認画面５２に復帰させることができる。また、確定ボタン３９を操作することにより、印刷設定を確定して元の確認画面５２に復帰させることができる。
【００６８】
確認画面５２内の節約解除ボタン６８を操作した場合には、節約印刷設定が解除され、メニュー画面５１に復帰する。つまり、この場合には、集約印刷設定を非選択とすることにより、印刷モードが通常印刷モードに変更される。メニュー画面５１に復帰した後、スタートキー１５を押下すれば、原稿の読み取り及び記録紙への印刷処理が開始される。
【００６９】
確認画面５２内の戻るボタン６７を操作した場合には、元のメニュー画面５１に復帰する。そして、メニュー画面５１に復帰した後、スタートキー１５を押下すれば、原稿の読み取り及び記録紙への印刷処理が開始される。
【００７０】
＜節約モード時のＦＡＸ送信処理＞
図７は、図１のＭＦＰ１００における節約モード時のＦＡＸ送信処理の一例を示した図である。ＦＡＸ送信機能が選択されている場合には、メニュー画面７１がディスプレイ上１４に表示される。このメニュー画面７１には、応用機能ボタン８１、画質ボタン８２及び濃度ボタン８３が設けられ、また、ＦＡＸの送信先を示す番号情報８４などが表示されている。ボタン８１〜８３は、ＦＡＸの送信設定に関するメニュー項目を選択するための項目選択ボタンである。
【００７１】
節約印刷モード中に原稿が給紙トレイ１１内に収容されれば、給紙トレイ１１内の原稿を検出して確認画面７２がディスプレイ１４上に表示される。この確認画面７２には、項目選択ボタン６６、戻るボタン６７及び節約解除ボタン６８が設けられ、節約印刷モード中であることを示すメッセージが表示されている。
【００７２】
確認画面７２の表示中に、スタートキー１５を押下すれば、原稿の読み取り及び読取画像をＦＡＸ送信する処理が開始される。一方、確認画面７２内の「集約」ボタンを操作すれば、集約設定画面２３が表示される。
【００７３】
この集約設定画面２３内の項目選択ボタン４０を操作することにより、集約設定を変更することができる。また、取消しボタン３８を操作することにより、集約設定画面２３が表示されてから取消しボタン３８が操作されるまでの間の印刷設定の変更情報を無効化して元の確認画面７２に復帰させることができる。また、確定ボタン３９を操作することにより、印刷設定を確定して元の確認画面７２に復帰させることができる。
【００７４】
確認画面７２内の節約解除ボタン６８を操作した場合には、節約印刷設定が解除され、メニュー画面７１に復帰する。つまり、この場合には、集約印刷設定を非選択とすることにより、印刷モードが通常印刷モードに変更される。メニュー画面７１に復帰した後、スタートキー１５を押下すれば、原稿の読み取り及び読取画像のＦＡＸ送信処理が開始される。
【００７５】
確認画面７２内の戻るボタン６７を操作した場合には、元のメニュー画面７１に復帰する。そして、メニュー画面７１に復帰した後、スタートキー１５を押下すれば、原稿の読み取り及び読取画像のＦＡＸ送信処理が開始される。
【００７６】
図８は、図１のＭＦＰ１００の一構成例を示したブロック図であり、複写機能が選択されたＭＦＰ１００内の機能構成の一例が示されている。このＭＦＰ１００は、給紙トレイ１１，１０３、排紙トレイ１２，１０４、ディスプレイ１４、キー入力部１０１、タッチパネル１０２、原稿検出部１０５、原稿送り部１０６、読取部１０７、印刷部１０８、通常印刷設定記憶部１０９、節約印刷設定記憶部１１０、印刷モード選択部１１１、標準モード情報記憶部１１２、確認画面表示部１１３及び変更画面表示部１１４を備えて構成される。
【００７７】
キー入力部１０１は、スタートキー１５又は節約モード選択キー２０の操作に基づいて、所定のキー入力信号を生成し、原稿送り部１０６及び印刷モード選択部１１１へ出力する。原稿送り部１０６は、給紙トレイ１１内の原稿を１枚ずつ取り出して読取部１０７へ順次に送出する。この原稿送りは、スタートキー１５の操作に基づいて開始される。読取部１０７は、原稿を光学的に読み取って読取画像を生成し、印刷部１０８へ出力する。
【００７８】
給紙トレイ１０３は、複数の記録紙を収容するための用紙収容部であり、印刷前の記録紙が収容される。排紙トレイ１０４は、印刷後の記録紙を収容するための収容部である。印刷部１０８は、読取部１０７からの読取画像を記録紙に印刷する画像形成部である。
【００７９】
タッチパネル１０２は、ディスプレイ１４の表示面に対する操作を検出して操作位置に応じた所定の入力信号を生成し、印刷モード選択部１１１及び変更画面表示部１１４へ出力する。印刷モード選択部１１１は、キー入力部１０１からのキー入力信号に基づいて、通常印刷モード及び節約印刷モードのいずれかを印刷モードとして選択し、選択した印刷モードを標準モード情報として標準モード情報記憶部１１２内に書き込む。
【００８０】
通常印刷モードは、所定の印刷設定からなる印刷モードであり、通常印刷設定記憶部１０９内に保持されている設定データに基づいて印刷処理が実行される。一方、節約印刷モードは、通常印刷モードよりも記録紙の消費量が少ない印刷設定からなる印刷モードであり、節約印刷設定記憶部１１０内に保持されている設定データに基づいて印刷処理が実行される。
【００８１】
節約印刷に関する印刷設定としては、集約印刷及び両面印刷の印刷設定がある。通常印刷及び節約印刷の各設定データは、ユーザ操作に基づいて、予め登録される。印刷部１０８では、標準モード情報記憶部１１２内の標準モード情報に基づいて、印刷処理が実行される。
【００８２】
原稿検出部１０５は、給紙トレイ１１内の原稿を検出し、その検出結果を確認画面表示部１１３へ出力する。確認画面表示部１１３は、原稿検出部１０５による検出結果に基づいて、確認画面２５をディスプレイ１４上に表示する。この確認画面２５は、ＭＦＰ１０が節約印刷モード中であることをユーザに気付かせるための報知画面であり、給紙トレイ１１内に複数の原稿が収容された時点で表示される。つまり、確認画面２５は、給紙トレイ１１内に原稿が収容されていない状態から収容されている状態に遷移した時点で表示される。
【００８３】
確認画面表示部１１３では、標準モード情報に基づいて、確認画面２５を表示するか否かが決定される。つまり、確認画面表示部１１３は、節約印刷モード中であれば、原稿の検出結果に基づいて確認画面２５を表示し、通常印刷モード中である場合には、原稿検出部１０５により原稿が検出されても確認画面２５を表示しない。
【００８４】
印刷モード選択部１１１は、確認画面２５内の節約解除ボタン４４の操作に基づいて、通常印刷モードを選択する。つまり、節約解除ボタン４４が操作されれば、節約印刷モードが解除され、印刷モードが通常印刷モードに切り替えられる。
【００８５】
変更画面表示部１１４は、メニュー画面２１内の応用機能ボタン３１の操作に基づいて、サブメニュー画面２２を表示する。また、サブメニュー画面２２内の項目選択ボタン３７の操作に基づいて、集約設定画面２３又は両面設定画面２４を表示する。また、確認画面２５内の項目選択ボタン４２の操作に基づいて、集約設定画面２３又は両面設定画面２４を表示する。サブメニュー画面２２、集約設定画面２３及び両面設定画面２４は、いずれも印刷設定を変更するための印刷設定変更画面である。
【００８６】
＜確認画面の出現パターン＞
図９は、図１のＭＦＰ１００における印刷時の動作の一例を示した図であり、原稿がセットされた際に、確認画面２５が表示されるか否かの出現パターンが示されている。確認画面２５は、メニュー画面２１の表示中において、原稿が給紙トレイ１１内にセットされた時点で表示される。このとき、印刷モードが通常印刷モードであるか、或いは、節約印刷モードであるかに応じて、確認画面２５を表示するか否かが決定される。
【００８７】
印刷モードが通常印刷モードである場合、原稿がセットされても、確認画面２５は表示されず、その後、スタートキー１５が操作されれば、原稿の読み取り及び読取画像の印刷処理が開始される。一方、印刷モードが節約印刷モードである場合には、原稿がセットされれば、確認画面２５が表示される。この確認画面２５の表示中に、スタートキー１５が操作されれば、原稿の読み取り及び読取画像の印刷処理が開始される。
【００８８】
図１０のステップＳ１０１〜Ｓ１０７は、図８のＭＦＰ１００における通常印刷モード時の複写処理の一例を示したフローチャートである。まず、原稿送り部１０６は、原稿検出部１０５により原稿が検出された後、スタートキー１５が操作されれば、原稿送出を開始する（ステップＳ１０１〜Ｓ１０３）。
【００８９】
読取部１０７は、給紙トレイ１１から搬送された原稿を読み取り、読取画像を順次に生成する。印刷部１０８は、読取部１０７からの読取画像を通常印刷モード時の印刷設定に基づいて記録紙に印刷し、印刷後の記録紙を排紙トレイ１０４内に排出する（ステップＳ１０４〜Ｓ１０６）。ステップＳ１０４からステップＳ１０６までの処理手順は、給紙トレイ１１内の原稿がなくなるまで繰り返される。
【００９０】
図１１のステップＳ２０１〜Ｓ２１５は、図８のＭＦＰ１００における節約印刷モード時の複写処理の一例を示したフローチャートである。まず、確認画面表示部１１３は、原稿検出部１０５により原稿が検出されれば、確認画面２５をディスプレイ１４上に表示する（ステップＳ２０１，Ｓ２０２）。
【００９１】
次に、原稿送り部１０６は、スタートキー１５が操作されれば、原稿送出を開始する（ステップＳ２０３，Ｓ２１１）。そして、読取部１０７は、給紙トレイ１１から搬送された原稿を読み取り、読取画像を順次に生成する。印刷部１０８は、読取部１０７からの読取画像を節約印刷モード時の印刷設定に基づいて記録紙に印刷し、印刷後の記録紙を排紙トレイ１０４内に排出する（ステップＳ２１２〜Ｓ２１４）。ステップＳ２１２からステップＳ２１４までの処理手順は、給紙トレイ１１内の原稿がなくなるまで繰り返される（ステップＳ２１５）。
【００９２】
一方、変更画面表示部１１４は、確認画面２５内の項目選択ボタン４２が操作された場合に、操作された項目選択ボタン４２に対応する印刷設定変更画面を表示する（ステップＳ２０３，Ｓ２０４，Ｓ２０９）。そして、印刷設定変更画面内の取消しボタン３８が操作されれば、印刷設定変更画面が表示されてから取消しボタン３８が操作されるまでの間の印刷設定の変更情報は無効化され、元の確認画面２５が表示される（ステップＳ２１０）。或いは、確定ボタン３９が操作されれば、印刷設定を確定して元の確認画面２５が表示される（ステップＳ２１０）。
【００９３】
確認画面２５内の戻るボタン４３が操作された場合には、確認画面２５の表示を終了して元のメニュー画面２１が表示される（ステップＳ２０３〜Ｓ２０５，Ｓ２０７）。一方、確認画面２５内の節約解除ボタン４４が操作された場合には、節約印刷モードが解除され、通常印刷モード時のメニュー画面２１が表示される（ステップＳ２０３〜Ｓ２０７）。原稿送り部１０６は、メニュー画面２１に復帰した後、スタートキー１５が操作されれば、原稿送出を開始し（ステップＳ２０８，Ｓ２１１）、ステップＳ２１２以降の処理手順が実行される。
【００９４】
本実施の形態によれば、印刷モードに基づいて確認画面２５を表示するか否かが決定されるので、原稿を給紙トレイ１１内に収容させた際に、節約印刷モード中であるか否かを確認画面２５の表示によって識別することができる。従って、節約印刷モード中であることに気付かないまま、読取画像が記録紙に印刷されるのを抑制することができる。また、確認画面２５内の節約解除ボタン４４の操作に基づいて、通常印刷モードを選択するので、節約印刷モード中であることに気付いた際に印刷モードを容易に変更することもできる。
【００９５】
実施の形態２．
実施の形態１では、印刷モードに基づいて確認画面２５を表示するか否かが決定される場合の例について説明した。これに対し、本実施の形態では、サブメニュー画面２２などの印刷設定変更画面の表示履歴に基づいて確認画面２５を表示する場合について説明する。
【００９６】
図１２は、本発明の実施の形態２による原稿読取装置の一構成例を示したブロック図であり、ＭＦＰ１００の他の構成例が示されている。このＭＦＰ１００は、図８のＭＦＰ１００と比較すれば、表示履歴記憶部１１５を備えている点で異なる。表示履歴記憶部１１５には、サブメニュー画面２２、集約印刷設定画面２３、両面印刷設定画面２４などの印刷設定変更画面の表示履歴が保持される。
【００９７】
確認画面表示部１１３では、原稿検出部１０５により原稿が検出された際に、原稿の検出時点までの表示履歴に基づいて、確認画面２５を表示するか否かが決定される。具体的には、原稿の検出時点から一定時間だけ遡った時点から原稿の検出時点までの間に、印刷設定変更画面が表示されていれば、確認画面２５を表示しない。一方、上記期間中に印刷設定変更画面が表示されていなかった場合には、確認画面２５を表示する。
【００９８】
＜確認画面の出現パターン＞
図１３は、図１２のＭＦＰ１００における印刷時の動作の一例を示した図であり、原稿がセットされた際に、確認画面２５が表示されるか否かの出現パターンが示されている。確認画面２５は、印刷モードと、サブメニュー画面２２などの印刷設定変更画面の表示履歴とに応じて、確認画面２５を表示するか否かが決定される。印刷モードが通常印刷モードである場合、メニュー画面２１の表示中に原稿が給紙トレイ１１内にセットされても、確認画面２５は表示されない。
【００９９】
印刷モードが節約印刷モードである場合、印刷設定変更画面の表示履歴があるか否かに応じて確認画面２５を表示するか否かが決定される。すなわち、メニュー画面２１が表示されたときから、原稿が検出されるまでの間に、印刷設定変更画面が表示されていれば、原稿がセットされても、確認画面２５は表示されない。
【０１００】
一方、メニュー画面２１が表示されてから原稿が検出されるまでの間に、印刷設定変更画面が表示されていなかった場合には、原稿がセットされれば、確認画面２５が表示される。この確認画面２５の表示中に、スタートキー１５が操作されれば、原稿の読み取り及び読取画像の印刷処理が開始される。
【０１０１】
この例では、印刷設定変更画面の表示履歴の有無に応じて確認画面２５を表示するか否かが決定されているが、印刷設定変更画面のうち、集約設定画面２３の表示履歴の有無及び両面設定画面２４の表示履歴の有無に応じて確認画面２５を表示するか否かを決定しても良い。例えば、メニュー画面２１が表示されてから原稿が検出されるまでの間に、集約設定画面２３のみ表示されており、両面設定画面２４は表示されていなかった場合、印刷設定変更画面の表示履歴がない場合とは表示内容を異ならせて確認画面２５が表示される。
【０１０２】
すなわち、確認画面２５上では、集約印刷の印刷設定について設定変更不可となり、設定内容が、設定変更不可であることを識別可能に表示される。例えば、両面印刷の設定内容が通常表示となるのに対し、集約印刷の印刷設定については、網掛表示が行われる。
【０１０３】
また、両面設定画面２４のみ表示され、集約設定画面２３は表示されなかった場合にも、印刷設定変更画面の表示履歴がない場合とは表示内容を異ならせて確認画面２５が表示される。すなわち、確認画面２５上では、両面印刷の印刷設定について設定変更不可となり、設定内容が、設定変更不可であることを識別可能に表示される。例えば、集約印刷の設定内容が通常表示となるのに対し、両面印刷の印刷設定については、網掛表示が行われる。
【０１０４】
一方、集約設定画面２３及び両面設定画面２４の両方が表示されていた場合には、原稿がセットされても、確認画面２５は表示されない。本願発明には、この様な構成も含まれる。ここでは、印刷設定変更画面のうち、集約設定画面２３又は両面設定画面２４のいずれかが表示されていた場合に、表示履歴のある印刷設定が網掛表示となるケースを例示として説明したが、本発明はこれに限定されるものではない。例えば、印刷設定の設定変更が可能な印刷設定項目と設定変更が不可の印刷設定項目とが視覚的に識別可能な表示であれば、グレイアウト表示などの他の表示形態であっても良い。
【０１０５】
図１４のステップＳ３０１〜Ｓ３１７は、図１２のＭＦＰ１００における節約印刷モード時の複写処理の一例を示したフローチャートである。まず、確認画面表示部１１３は、原稿検出部１０５により原稿が検出された際、原稿の検出時点までに印刷設定変更画面が表示されていなければ、確認画面２５をディスプレイ１４上に表示する（ステップＳ３０１〜Ｓ３０３）。
【０１０６】
次に、原稿送り部１０６は、スタートキー１５が操作されれば、原稿送出を開始する（ステップＳ３０４，Ｓ３１３）。そして、読取部１０７は、給紙トレイ１１から搬送された原稿を読み取り、読取画像を順次に生成する。印刷部１０８は、読取部１０７からの読取画像を節約印刷モード時の印刷設定に基づいて記録紙に印刷し、印刷後の記録紙を排紙トレイ１０４内に排出する（ステップＳ３１４〜Ｓ３１６）。ステップＳ３１４からステップＳ３１６までの処理手順は、給紙トレイ１１内の原稿がなくなるまで繰り返される（ステップＳ３１７）。
【０１０７】
一方、変更画面表示部１１４は、確認画面２５内の項目選択ボタン４２が操作された場合に、操作された項目選択ボタン４２に対応する印刷設定変更画面を表示する（ステップＳ３０４，Ｓ３０５，Ｓ３１０）。そして、印刷設定変更画面内の取消しボタン３８が操作されれば、印刷設定変更画面が表示されてから取消しボタン３８が操作されるまでの間の印刷設定の変更情報は無効化され、元の確認画面２５が表示される（ステップＳ３１１）。或いは、確定ボタン３９が操作されれば、印刷設定を確定して元の確認画面２５が表示される（ステップＳ３１１）。
【０１０８】
確認画面２５内の戻るボタン４３が操作された場合には、確認画面２５の表示を終了して元のメニュー画面２１が表示される（ステップＳ３０４〜Ｓ３０６，Ｓ３０８）。一方、確認画面２５内の節約解除ボタン４４が操作された場合には、節約印刷モードが解除され、通常印刷モード時のメニュー画面２１が表示される（ステップＳ３０４〜Ｓ３０８）。原稿送り部１０６は、メニュー画面２１に復帰した後、スタートキー１５が操作されれば、原稿送出を開始し（ステップＳ３０９，Ｓ３１３）、ステップＳ３１４以降の処理手順が実行される。
【０１０９】
原稿が検出された際に、原稿の検出時点までに印刷設定変更画面が表示されていた場合には、確認画面２５は表示されず、その後、スタートキー１５が操作されれば、ステップＳ３１４以降の処理手順が実行される。
【０１１０】
本実施の形態によれば、応用機能ボタン３１などの項目選択ボタンの操作に基づいて表示される印刷設定変更画面の表示履歴に基づいて確認画面２５を表示するので、原稿の検出時点までの表示履歴に応じて、確認画面２５を表示するか否かを決定させることができる。
【０１１１】
実施の形態３．
実施の形態１及び２では、原稿検出部１０５の検出結果に基づいて確認画面２５が表示される場合の例について説明した。これに対し、本実施の形態では、原稿読み取りを開始させるための読取開始操作に基づいて確認画面２５を表示する場合について説明する。
【０１１２】
図１５は、本発明の実施の形態３による原稿読取装置の一構成例を示したブロック図であり、ＭＦＰ１００の他の構成例が示されている。このＭＦＰ１００は、図１２のＭＦＰ１００と比較すれば、原稿検出部１０５を備えていない点で異なる。
【０１１３】
この確認画面表示部１１３は、原稿送り部１０６に原稿送出を開始させることにより、原稿読み取りを開始させるための所定の第１の読取開始操作、例えば、スタートキー１５の操作に基づいて、確認画面２５を表示する。つまり、確認画面２５は、スタートキー１５が操作された時点で表示される。
【０１１４】
確認画面表示部１１３では、印刷モードに基づいて、確認画面２５を表示するか否かを決定するので、節約印刷モード中であれば、スタートキー１５の操作に基づいて確認画面２５が表示され、通常印刷モード中である場合には、スタートキー１５が操作されても確認画面２５は表示されない。
【０１１５】
また、確認画面表示部１１３では、スタートキー１５が操作された際に、スタートキー１５の操作時点までの表示履歴に基づいて、確認画面２５を表示するか否かが決定される。具体的には、スタートキー１５の操作時点から一定時間だけ遡った時点からスタートキー１５の操作時点までの間に、印刷設定変更画面が表示されていれば、確認画面２５を表示しない。一方、上記期間中に印刷設定変更画面が表示されていなかった場合には、確認画面２５を表示する。
【０１１６】
原稿送り部１０６は、印刷モードが通常印刷モードである場合に、スタートキー１５の操作に基づいて原稿送出を開始し、節約印刷モードである場合には、確認画面２５の表示中における第２の読取開始操作に基づいて、原稿送出を開始する。この第２の読取開始操作としては、スタートキー１５の操作であっても良いし、確認画面２５内に設けられる印刷開始ボタンの操作であっても良い。
【０１１７】
＜確認画面の出現パターン＞
図１６は、図１５のＭＦＰ１００における印刷時の動作の一例を示した図であり、スタートキー１５が操作された際に、確認画面２５が表示されるか否かの出現パターンが示されている。確認画面２５は、メニュー画面２１の表示中において、スタートキー１５が操作された時点で表示される。
【０１１８】
このとき、印刷モードが通常印刷モードであるか、或いは、節約印刷モードであるかと、印刷設定変更画面の表示履歴の有無とに応じて、確認画面２５を表示するか否かが決定される。印刷モードが通常印刷モードである場合、メニュー画面２１の表示中にスタートキー１５が操作されても、確認画面２５は表示されない。
【０１１９】
印刷モードが節約印刷モードである場合、印刷設定変更画面の表示履歴があるか否かに応じて確認画面２５を表示するか否かが決定される。すなわち、メニュー画面２１が表示されたときから、スタートキー１５が操作されるまでの間に、印刷設定変更画面が表示されていれば、スタートキー１５が操作されても、確認画面２５は表示されない。
【０１２０】
一方、メニュー画面２１が表示されてからスタートキー１５が操作されるまでの間に、印刷設定変更画面が表示されていなかった場合には、スタートキー１５が操作されれば、確認画面２５が表示される。この確認画面２５の表示中に、スタートキー１５が再度操作されれば、原稿の読み取り及び読取画像の印刷処理が開始される。
【０１２１】
図１７のステップＳ４０１〜Ｓ４１６は、図１５のＭＦＰ１００における節約印刷モード時の複写処理の一例を示したフローチャートである。まず、確認画面表示部１１３は、スタートキー１５が操作された際、スタートキー１５の操作時点までに印刷設定変更画面が表示されていなければ、確認画面２５をディスプレイ１４上に表示する（ステップＳ４０１〜Ｓ４０３）。
【０１２２】
次に、原稿送り部１０６は、スタートキー１５が操作されれば、原稿送出を開始する（ステップＳ４０４，Ｓ４１２）。そして、読取部１０７は、給紙トレイ１１から搬送された原稿を読み取り、読取画像を順次に生成する。印刷部１０８は、読取部１０７からの読取画像を節約印刷モード時の印刷設定に基づいて記録紙に印刷し、印刷後の記録紙を排紙トレイ１０４内に排出する（ステップＳ４１３〜Ｓ４１５）。ステップＳ４１３からステップＳ４１５までの処理手順は、給紙トレイ１１内の原稿がなくなるまで繰り返される（ステップＳ４１６）。
【０１２３】
一方、変更画面表示部１１４は、確認画面２５内の項目選択ボタン４２が操作された場合に、操作された項目選択ボタン４２に対応する印刷設定変更画面を表示する（ステップＳ４０４，Ｓ４０５，Ｓ４１０）。そして、印刷設定変更画面内の取消しボタン３８が操作されれば、印刷設定変更画面が表示されてから取消しボタン３８が操作されるまでの間の印刷設定の変更情報は無効化され、元の確認画面２５が表示される（ステップＳ４１１）。或いは、確定ボタン３９が操作されれば、印刷設定を確定して元の確認画面２５が表示される（ステップＳ４１１）。
【０１２４】
確認画面２５内の戻るボタン４３が操作された場合には、確認画面２５の表示を終了して元のメニュー画面２１が表示される（ステップＳ４０４〜Ｓ４０６，Ｓ４０８）。一方、確認画面２５内の節約解除ボタン４４が操作された場合には、節約印刷モードが解除され、通常印刷モード時のメニュー画面２１が表示される（ステップＳ４０４〜Ｓ４０８）。原稿送り部１０６は、メニュー画面２１に復帰した後、スタートキー１５が操作されれば、原稿送出を開始し（ステップＳ４０９，Ｓ４１２）、ステップＳ４１３以降の処理手順が実行される。
【０１２５】
スタートキー１５が操作された際に、操作時点までに印刷設定変更画面が表示されていた場合には、確認画面２５は表示されず、ステップＳ４１２以降の処理手順が実行される。本実施の形態によれば、印刷モードに基づいて確認画面を表示するか否かが決定されるので、スタートキー１５を操作した際に、節約印刷モード中であるか否かを確認画面２５の表示によって識別することができる。従って、節約印刷モード中であることに気付かないまま、読取画像が記録紙に印刷されるのを抑制することができる。
【０１２６】
なお、実施の形態１及び２では、ＡＤＦ部１０の給紙トレイ１１内に収容された原稿を検出して確認画面２５を表示する場合の例について説明したが、本発明はこれに限られるものではない。読み取り前の原稿が所定の位置にセットされたことを検出し、その検出結果に基づいて確認画面２５を表示するものは本発明に含まれる。例えば、原稿載置台上に載置された原稿を検出して確認画面２５を表示するものであっても良い。
【符号の説明】
【０１２７】
１  手差しトレイ
２，３  記録紙収容部
４  記録紙用の排紙トレイ
１０  ＡＤＦ部
１１  原稿用の給紙トレイ
１２  原稿用の排紙トレイ
１３  コントロールパネル
１４  ディスプレイ
１５  スタートキー
１６  ストップキー
１７  数字キー
１８  電源スイッチ
１９  機能選択キー
２０  節約モード選択キー
２１  メニュー画面
２２  サブメニュー画面
２３  集約設定画面
２４  両面設定画面
２５  確認画面
１００  ＭＦＰ
１０１  キー入力部
１０２  タッチパネル
１０５  原稿検出部
１０６  原稿送り部
１０７  読取部
１０８  印刷部
１０９  通常印刷設定記憶部
１１０  節約印刷設定記憶部
１１１  印刷モード選択部
１１２  標準モード情報記憶部
１１３  確認画面表示部
１１４  変更画面表示部
１１５  表示履歴記憶部
【図１】
2011239137.tif 000003
【図２】
2011239137.tif 000004
【図３】
2011239137.tif 000005
【図４】
2011239137.tif 000006
【図５】
2011239137.tif 000007
【図６】
2011239137.tif 000008
【図７】
2011239137.tif 000009
【図８】
2011239137.tif 000010
【図９】
2011239137.tif 000011
【図１０】
2011239137.tif 000012
【図１１】
2011239137.tif 000013
【図１２】
2011239137.tif 000014
【図１３】
2011239137.tif 000015
【図１４】
2011239137.tif 000016
【図１５】
2011239137.tif 000017
【図１６】
2011239137.tif 000018
【図１７】
2011239137.tif 000019